(57)【要約】【課題】対象色を強調して照明する対象色強調システムにおいて、簡便な構成で対象色を的確に強調して照明することで、煩雑な作業をすることなく、大きな視覚的効果が得られるようにする。【解決手段】対象色強調システム１は、対象物１１の色を検出する対象色検出部２と、対象色の補色を求める演算部３と、対象色の補色に基づいた制御信号を作り出す制御部４と、制御信号に応じた電流が導通される点灯回路部５と、点灯回路部５と接続された電源部６と、補色光によって載置面１０を発光させ対象物を照明する面発光部７と、対象物１１を照射する環境光の色を検出する環境光検出部８と、対象物１１の照度を検出する照度検出部９を備える。面発光部７は、載置面１０を有した載置台７１を備える。面発光部７による照明光の色は、環境光検出部８の検出結果に応じて補正され、また、照明光の輝度は色照度検出部９の検出結果に応じて調整される。【選択図】図１４
2008264430.tif 000002
【特許請求の範囲】
【請求項１】
陳列物が載置面上に載置され、この陳列物を対象として、その色を強調して照明する対象色強調システムであって、
陳列物を載置する載置面と、
前記陳列物の色を対象色として検出する対象色検出部と、
前記対象色検出部によって得られる前記対象色の補色を求める演算部と、
前記演算部によって求められる前記補色光によって前記載置面を発光させ前記陳列物を照明する面発光部と、を備えることを特徴とする対象色強調システム。
【請求項２】
前記陳列物を照射する環境光の色を検出する環境光検出部をさらに備え、
前記環境光検出部の検出結果に応じて、前記面発光部による照明光の色が補正されることを特徴とする請求項１に記載の対象色強調システム。
【請求項３】
前記陳列物の照度を検出する照度検出部をさらに備え、
前記照度検出部の検出結果に応じて、前記面発光部による照明光の輝度が調整されることを特徴とする請求項１又は請求項２に記載の対象色強調システム。
【発明の詳細な説明】
【技術分野】
【０００１】
本発明は、載置面上に載置された陳列物を対象として、その色を強調して照明する対象色強調システムに関する。
【背景技術】
【０００２】
従来より、商品や展示物等の陳列物を対象として、その色を強調して照明する際には、陳列物の上方から光を照射する方法が主に用いられている。このような方法を用いて上記照明する照明システムにおいて、陳列物に対する照明光の照射状態について図１５を参照して説明する。本照明システム１０１においては、棚やテーブル等の載置面１０２上に照明対象とした陳列物（以下、対象物とする）１０３が載置され、対象物１０３の上方には蛍光灯や白熱電球等の光源１０４が設けられている。対象物１０３としては、衣服や食器、植物等、様々なものが挙げられ、その大きさや形状、色も様々である。このように構成される照明システムにおいて、光源１０４から対象物１０３に向けて照明光１０５が照射されると、図１５（ａ）に示すように、対象物１０３に合わせて照明光１０５の範囲を調整できる場合を除いて、対象物１０３だけでなくその周囲の載置面１０２にも照明光１０５が照射されたり、図１５（ｂ）に示すように、対象物１０３の一部（例えば、対象物の中央部）しか照明光１０５が照射されなかったりする。
【０００３】
その結果、対象色だけでなくその周辺部の色も強調され、あるいは対象物の全体において対象色が強調されないで、対比・同化等の色彩効果によって、本来の効果である照明による色の強調作用が薄れてしまう場合がある。なお、上述のように、照明光の範囲を調整できる構成にしようとすると、対象物の大きさや形状の他に、対象物の位置がずれて光源と対象物の距離が変わることにも対処する必要があり、複雑な構造が必要となってコストアップとなる。
【０００４】
また、照明としての自然な色を維持したまま、特定の対象色を強調するためには、対象色に応じて照明光の色を変える際に、単純に照明光の色を変えずに、照明光の波長を操作することが必要とされ、光源を特別なものにしたり、フィルタの透過率や反射鏡の反射率を変更する必要がある。そのため、簡便な構成でありながら、対象色をより鮮やかに見せることができるよう、対象色を強調して照明するための種々の照明技術が知られている。
【０００５】
例えば、特許文献１には、複数の色を用いて描かれた図柄を持つ表示面と、表示面を照射する光源と、光源の光強度を制御する光源駆動部とを備えた表示システムが開示されている。本表示システムによれば、表示面の図柄に用いられている表示色と、光源からの照明色とを互いに補色の関係に設定し、色の補色関係による効果を利用することにより、従来にない視覚的効果を得ることができる。
【０００６】
また、特許文献２には、発光体を点灯させるための点灯制御部を内蔵する本体部と、本体部内に設けられた反射部材と、反射部材を覆うように容器本体部の開口部に取り付けられた光透過プレートと備えた載置台が開示されている。本載置台は、光透過プレートを光色可変に発光させ、光透過プレートに載置した陳列物を照明するものである。
【特許文献１】特開２００４−１０１６２６号公報
【特許文献２】特開２００５−１６０６３９号公報
【発明の開示】
【発明が解決しようとする課題】
【０００７】
しかしながら、特許文献１に記載される表示システムでは、対象色の補色光を表示面に照射し、表示面から反射される光によって、色の補色関係による効果を得るものであるから、対象物の周囲にも補色光が照射され、上述の対比・同化等の色彩効果による影響を排除することが難しく、従って、対象色を鮮やかに見せることが困難となる。
【０００８】
また、特許文献２に記載される載置台では、陳列物の色を検出する機能が設けられておらず、その色を強調して照明しようとする際には、まず、ユーザーが陳列物を目視したり、あるいは色彩計にて測定したりして、対象色を抽出する作業が必要である。さらに、陳列物が変わる度にこのような作業が必要となり、利便性に劣る。
【０００９】
本発明は、上記問題を解決するためになされたものであり、簡便な構成で煩雑な作業をすることなく対象色を的確に強調して照明することができ、大きな視覚的効果が得られる対象色強調システムを提供することを目的とする。
【課題を解決するための手段】
【００１０】
上記目的を達成するために請求項１の発明は、陳列物が載置面上に載置され、この陳列物を対象として、その色を強調して照明する対象色強調システムであって、陳列物を載置する載置面と、前記陳列物の色を対象色として検出する対象色検出部と、前記対象色検出部によって得られる前記対象色の補色を求める演算部と、前記演算部によって求められる前記補色光によって前記載置面を発光させ前記陳列物を照明する面発光部と、を備えるものである。
【００１１】
請求項２の発明は、請求項１に記載の発明において、前記陳列物を照射する環境光の色を検出する環境光検出部を備え、前記環境光検出部の検出結果に応じて、前記面発光部による照明光の色が補正されるものである。
【００１２】
請求項３の発明は、請求項１又は請求項２に記載の発明において、前記陳列物の照度を検出する照度検出部を備え、前記照度検出部の検出結果に応じて、前記面発光部による照明光の輝度が調整されるものである。
【発明の効果】
【００１３】
請求項１の発明によれば、陳列物の背景である載置面が対象色の補色となるように照明されるので、陳列物の上方から対象色を強調して照明する際に必要な、照明光の複雑な波長制御が不要となり、照明光の色を制御するのみで対象色が的確に強調されて、陳列物の色を鮮やかに見せることができる。
【００１４】
請求項２の発明によれば、陳列物周辺の環境光の影響を織り込んで面発光部が発光するので、視覚的効果がより大きな演出照明が可能となる。
【００１５】
請求項３の発明によれば、面発光部による照明光を載置面が光っていると感じさせない程度の輝度とすることで、グレアを防止して陳列物を見易くすることができる。
【発明を実施するための最良の形態】
【００１６】
（第１の実施形態）
本発明の第１の実施形態に係る対象色強調システムについて図１乃至図８を参照して説明する。図１は、本実施形態に係る対象色強調システムの概略構成を示す。対象色強調システム１は、陳列物が載置面１０上に載置され、この陳列物を対象として、その色を強調して照明するものであって、載置面１０上に載置されて照明対象とされた陳列物（以下、対象物とする）１１の色を対象色として検出する対象色検出部２と、対象色検出部２によって得られる対象色の補色を求める演算部３と、演算部３で得られる対象色の補色に基づいた制御信号を作り出す制御部４と、制御部４で作り出された制御信号に応じて、後述の面発光部７に電流を送り込む点灯回路部５と、点灯回路部５と接続された電源部６と、演算部３によって求められる補色光によって載置面１０を発光させて対象物を照明する面発光部７とを備える。ここで、面発光部７は、載置面１０を有した載置台７１と、ＲＧＢ光源７２とを備える。
【００１７】
対象物１１としては、衣服や食器、植物等、様々なものが挙げられ、その大きさや形状、色様々である。例えば洋服の場合、大きさは、Ｓ・Ｌ・Ｍ等のサイズがあり、形状は、ズボン、コート、シャツ等があり、色に関しては、洋服全体が茶色であったり、紺色地に白色のチェック柄が施されていたり、白色地に金色の刺繍が施されていたりする。
【００１８】
図２は、本実施形態に係る対象色強調システムの対象色検出部２の構成例を示す。対象色検出部２は、載置台７１の上方に設けられたＲＧＢセンサ２１を有している。ＲＧＢセンサ２１は、載置面１０上において対象物１１を載置しようとする範囲や、その個数に応じて１つ又は複数、配置される。本構成によれば、対象物１１の上面の反射光がＲＧＢセンサ２１に受光されることで、対象色の赤、緑、青の強度が検出され、ＲＧＢ値が演算部３に出力される。なお、載置された対象物１１の位置に合わせてＲＧＢセンサ２１を移動自在に設けると、ＲＧＢセンサ２１を設置する個数が削減できる。
【００１９】
図３は、対象色検出部２の他の構成例を示す。対象色検出部２は、面発光部７の載置台７１に埋設されたＲＧＢセンサ２１と、ＲＧＢセンサ２１の近傍であって、載置台７１に埋設された対象色検出用光源２２を有している。ＲＧＢセンサ２１及び対象色検出用光源２２は、上述したように、１つ又は複数、配置される。本構成によれば、対象色検出用光源２２を発光させると、対象物１１の下面の反射光がＲＧＢセンサ２１に受光され、ＲＧＢ値が演算部３に出力される。なお、本構成例が適用される状況としては、対象物１１の上面（実際に観察する面）と下面（対象色を検出する面）が同じ色であって、その対象物１１の上面には、載置されているものがない場合、あるいは同じ対象物１１が載置されている場合が挙げられる。
【００２０】
図４は、対象色検出部２のさらに他の構成例を示す。対象色検出部２は、載置台７１の上方に設けられ、複数のＲＧＢセンサ２１で構成されるＣＣＤやＣＭＯＳ等のイメージセンサ２３を有している。イメージセンサ２３は、上述したように、１つ又は複数、配置される。本構成によれば、対象物１１の上面の反射光がイメージセンサ２３に受光され、ＲＧＢ値が各画素（ＲＧＢセンサ２１）毎に演算部３に出力される。そのため、対象物１１全体が複数色で構成された場合においても、各画素毎に対象色として検出可能である。従って、本構成によれば、主要な色（全体に占める面積が大きい色や鮮やかな色）を強調することができる。対象物１１のテーマカラー等を基に強調する色の優先順位を決定し、この優先順位を演算部３に内蔵されるメモリ等に予め記憶しておき、この優先順位を基に対象色から強調する色を選択して強調することもできる。
【００２１】
図５は、対象色検出部２のさらに他の構成例を示す。対象色検出部２は、載置台７１に埋設されたイメージセンサ２３と、イメージセンサ２３の近傍であって、載置台７１に埋設された対象色検出用光源２２を有している。イメージセンサ２３及び対象色検出用光源２２は、上述したように、１つ又は複数、配置される。本構成によれば、対象色検出用光源２２を発光させると、対象物１１の下面の反射光がイメージセンサ２３に受光され、ＲＧＢ値が各画素毎に演算部３に出力される。なお、本構成例が適用される状況としては、図３に示す対象色検出部の同様の場合が挙げられる。
【００２２】
図６は、対象色検出部２のさらに他の構成例を示す。対象色検出部２は、対象物１１の色構成の情報が記録されたＩＣタグ２４を読み取るためのＩＣタグリーダー２５を有している。ＩＣタグ２４は、ＩＣタグリーダー２５が読み取り可能なように、対象物１１の所定の箇所に取り付けられている。ＩＣタグリーダー２５は、載置台７１に埋設され、上述したように、１つ又は複数、配置される。本構成によれば、上記情報がＩＣタグリーダー２５に読み取られ、その情報がＲＧＢ値に変換され、ＲＧＢ値が演算部３に出力される。
【００２３】
演算部３には、対象色の補色を求める際に使用される各種情報を記憶するメモリが内蔵され、このメモリには、例えば、ＲＧＢ値をＸＹＺ表色系に変換する変換テーブルや、基準光（Ｃ光源、Ｄ６５光源等）を照明光としたときのＲＧＢ値等が記憶される。
【００２４】
図７は、本実施形態に係る対象色強調システムの面発光部７の構成例を示す。面発光部７は、上述の載置台７１と、ＲＧＢ光源７２と、ＲＧＢ光源７２を収納するケース部材７３とを有する。載置台７１には、ＲＧＢ光源から照射される赤、緑、青の光を拡散できる拡散板が用いられる。ＲＧＢ光源７２は、載置台７１の下方であって載置面１０に平行に配設される。また、ＲＧＢ光源７２には、蛍光灯や冷陰極ランプ、ＬＥＤ、有機ＥＬ等が用いられる。ＲＧＢ光源７２は、載置台７１の大きさに応じて所定の個数、配置される。本構成によれば、点灯回路部５からの電流によってＲＧＢ光源７２が発光すると、赤、緑、青の光（照明光）が載置台７１の下面から入射され、載置台７１内部で拡散された後、載置面１０から補色光が出射される。
【００２５】
図８は、面発光部７の他の構成例を示す。面発光部７は、上述の載置台７１と、載置台７１の下方に設けられた導光部材７４と、導光部材７４の導光方向の一側面に設けられたＲＧＢ光源７２と、ＲＧＢ光源７２を収納するケース部材７３とを有する。本構成によれば、点灯回路部５からの電流によってＲＧＢ光源７２が発光すると、赤、緑、青の光が導光部材７４の一側面から入射され、導光部材７４表面から均一の光が出射される。この光が載置台７１の下面から入射され、載置面１０から補色光が出射される。
【００２６】
上記のように構成された本実施形態の対象色強調システム１の作用について説明する。ここで、対象物１１は、対象色検出部２が対象色を検出できる位置に載置されているものとする。まず、本システムに電源が投入されると、対象色検出部２は対象色(色度)を検出する。次に、演算部３は、対象色の補色を計算する。次に、制御部４は、演算部３にて計算された補色に基づいて、面発光部７にて発光させるための制御信号を作り出す。次に、点灯回路部５は、この制御信号に基づき電源部６より電源の供給を受け、面発光部７に電流を送り込む。面発光部７は、ＲＧＢ光源７２から照明光を照射して載置面１０を補色光によって発光させる。
【００２７】
この対象色強調システム１によれば、陳列物にとっての背景である載置面が対象色の補色となるように発光するので、面発光部による照明光を複雑な波長制御を行うことが不要となり、色を制御するのみで対象色が的確に強調されて、陳列物の色を鮮やかに見せることができる。
【００２８】
（第２の実施形態）
本発明の第２の実施形態に係る対象色強調システムについて図９乃至図１３を参照して説明する。図９は、本実施形態に係る対象色強調システムの概略構成を示す。対象色強調システム１は、対象物１１を照射する環境光の色を検出する環境光検出部８を備え、環境光検出部８の検出結果に応じて、面発光部７による照明光の色が補正される点で第１の実施形態と相違する。
【００２９】
図１０は、本実施形態に係る対象色強調システムの環境色検出部８の構成例を示す。載置面１０上には、色が既知である参照物１２が予め設置されており、環境光検出部８は、この参照物１２上方に設けられたＲＧＢセンサ８１を有している。本構成では、ＲＧＢセンサ８１が参照物１２の上面の反射光を受光して対象色の赤、緑、青の強度を検出し、演算部３がＲＧＢ値に基づいて対象物１１周囲の環境光の色を決定するようにしている。
【００３０】
図１１は、環境光検出部８の他の構成例を示す。環境光検出部８は、載置台７１の上方に設けられたＲＧＢセンサ８１を有している。本構成では、ＲＧＢセンサ８１が、対象物１１周囲の環境光を直接受光してその赤、緑、青の強度を検出するようにしている。
【００３１】
図１２は、環境光検出部８のさらに他の構成例を示す。環境光検出部８は、対象物１１周囲の環境光の色を入力するための入力部８２を有している。本構成では、例えば、対象物１１周囲の光源や照明器具の種類を入力部８２に入力することで、対象物１１周囲の環境光のＲＧＢ強度を検出するようにしている。
【００３２】
演算部３は、環境光検出部の検出結果に応じた対象色の補色を求める演算フローを有している。ここで、この演算フローについて図１３を参照して説明する。まず、環境光検出部８で検出されたＲＧＢ値を取得してＸＹＺ表色系に変換し、得られる値をＸｎＹｎＺｎとする。ここで、ＸｎＹｎＺｎの値が、予め設定しておいた想定範囲から外れている場合には、エラーを返し、再度、ＲＧＢ値を取得する。次に、対象色検出部２で検出されたＲＧＢ値をＸＹＺ表色系に変換し、得られる値をＸＹＺとする。
【００３３】
次に、ＸｎＹｎＺｎとＸＹＺを用い、ＸｎＹｎＺｎを白色点としたときの対象色をＬ＊ａ＊ｂ＊表色系に変換したＬ＊ａ＊ｂ＊を計算する。このＬ＊ａ＊ｂ＊が、図に示すＬ＊ａ＊ｂ＊表色系での座標値３１に相当する。次に、Ｌ＊ａ＊ｂ＊を用い、その色相角を計算し、無彩色からの距離ΔＣ＊ａｂ（色差）が３以内のａ＊ｂ＊を算出する。このａ＊ｂ＊が座標値３２に相当し、言い換えると、対象色の色相を示す座標値３３から原点３４をはさんで対称の位置にあり、色差３５が３以内にある点に相当する。
【００３４】
算出したａ＊ｂ＊においてＬ＊＝１００となる色が、演算部３が求める対象色の補色である。この対象色の補色が座標値３６に相当する。ここで、ＸｎＹｎＺｎが変化せず、ＸＹＺのみが変化した場合は、対象物１１が変わったと判断して、Ｌ＊ａ＊ｂ＊を再計算する。また、ＸｎＹｎＺｎが変化した場合は、照明光が変わったと判断し、同じくＬ＊ａ＊ｂ＊を再計算する。なお、ＸｎＹｎＺｎを白色点としたときの対象色を、Ｌ＊ｕ＊ｖ＊表色系に変換してもよい。
【００３５】
上記のように構成された本実施形態の対象色強調システム１の動作について説明する。まず、本システムに電源が投入されると、環境光検出部８は、対象物１１を照射する環境光の色(色度)を検出する。対象色検出部２は、対象色(色度)を検出する。次に、演算部３は、上述の演算フローに基づいて対象色の反対色（補色）を計算する。次に、制御部４、点灯回路部５及び面発光部７は、上述した内容と同様の動作を行って、載置面１０を補色光によって発光させる。
【００３６】
この対象色強調システム１によれば、陳列物周辺の環境光の影響を織り込んで面発光部が発光するので、一層効果的な演出照明が可能となる。
【００３７】
（第３の実施形態）
本発明の第３の実施形態に係る対象色強調システムについて図１４を参照して説明する。対象色強調システム１は、対象物１１の照度を検出する照度検出部９を備え、照度検出部９の検出結果に応じて、面発光部７による照明光の輝度が調整される点で他の実施形態と相違する。照度検出部９は、照度センサ等からなる。なお、照度検出部９は、演算部３の上述の演算フローには、Ｌ＊＝１００とした対象色の補色の明度Ｌ＊を照度検出値に基づいて調整するルーチンを付け加えられる。このように構成することで、演算部が環境光の強さに応じて面発光部７の発光強度を決定し、面発光部７の照明光を、光っていると感じさせない程度の輝度とすることができるので、グレアを防止して陳列物を見やすくすることができる。
【００３８】
なお、本発明は、上記各種実施形態の構成に限られず、発明の趣旨を変更しない範囲で種々の変形が可能である。載置面を所定の角度に傾けた状態でも本システムを使用できるように、陳列物を固定するためのフックやストッパ等を設けてもよい。
【図面の簡単な説明】
【００３９】
【図１】本発明の第１の実施形態に係る対象色強調システムを示すブロック図。
【図２】同システムの対象色検出部の一例を示すブロック図。
【図３】同対象色検出部の他の一例を示すブロック図。
【図４】同対象色検出部のさらに他の一例を示すブロック図。
【図５】同対象色検出部のさらに他の一例を示すブロック図。
【図６】同対象色検出部のさらに他の一例を示すブロック図。
【図７】同システムの面発光部の一例を示すブロック図。
【図８】同面発光部の他の一例を示すブロック図。
【図９】本発明の第２の実施形態に係る対象色強調システムを示すブロック図。
【図１０】同システムの環境光検出部の一例を示すブロック図。
【図１１】同環境光検出部の他の一例を示すブロック図。
【図１２】同環境光検出部のさらに他の一例を示すブロック図。
【図１３】同システムの演算部における演算フローの説明図。
【図１４】本発明の第３の実施形態に係る対象色強調システムを示すブロック図。
【図１５】従来の照明システムの照射状態を示す図。
【符号の説明】
【００４０】
１  対象色強調システム
２  対象色検出部
３  演算部
４  制御部
５  点灯回路部
６  電源部
７  面発光部
７１  載置台
８  環境光検出部
９  照度検出部
１０  載置面
１１  対象物
【図１】
2008264430.tif 000003
【図２】
2008264430.tif 000004
【図３】
2008264430.tif 000005
【図４】
2008264430.tif 000006
【図５】
2008264430.tif 000007
【図６】
2008264430.tif 000008
【図７】
2008264430.tif 000009
【図８】
2008264430.tif 000010
【図９】
2008264430.tif 000011
【図１０】
2008264430.tif 000012
【図１１】
2008264430.tif 000013
【図１２】
2008264430.tif 000014
【図１３】
2008264430.tif 000015
【図１４】
2008264430.tif 000016
【図１５】
2008264430.tif 000017